(57)【要約】      （修正有）【課題】耐久性を高め、タイヤ重量を低減した航空機タイヤを提供する。【解決手段】一対のビードコアと、一方のビードコアから他方のビードコアに延びる１つ以上のカーカスプライを有するカーカス層と、カーカス層のトロイダル形状の周囲を周方向に取り囲むトレッド部と、ベルト構造とを含む。ベルト構造は、半径方向に最も内側の主ベルト層（２６）と、主ベルト層の半径方向外側に配置された無補強の第１のクッション層（３０）と、第１のクッション層の半径方向外側に配置された無補強の第２のクッション層（３２）と、第２のクッション層の半径方向外側とトレッド部の半径方向内側との間に配置された保護ベルト層（２８）とを含む。主ベルト層の半径方向に最も外側の層は、指定された直径の補強コードを有する。第１のクッション層は、指定された直径の０．５倍から４．０倍の半径方向の厚さを有する。【選択図】図２
2020200032.tif 000002
【特許請求の範囲】
【請求項１】
一対のビードコアと、
一方の前記ビードコアから他方の前記ビードコアにトロイダル形状で延びる１つ以上のカーカスプライを有するカーカス層と、
前記カーカス層のトロイダル形状の周囲を周方向に取り囲むトレッド部と、
半径方向に最も内側の主ベルト層と、前記主ベルト層の半径方向外側に配置された無補強の第１のクッション層と、前記第１のクッション層の半径方向外側に配置された無補強の第２のクッション層と、前記第２のクッション層の半径方向外側と前記トレッド部の半径方向内側との間に配置された保護ベルト層とを有するベルト構造を有し、
前記主ベルト層の半径方向に最も外側の層は指定された直径の補強コードを有し、前記第１のクッション層は前記指定された直径の０．５倍から４．０倍の半径方向の厚さを有することを特徴とする、ラジアルタイヤ。
【請求項２】
前記第１のクッション層は、前記指定された直径の０．５倍から２．５倍の半径方向の厚さを有することを特徴とする、請求項１に記載のラジアルタイヤ。
【請求項３】
前記第１のクッション層は、前記ベルト構造の最大全軸方向幅の０．５倍から１．１倍の軸方向幅を有することを特徴とする、請求項１に記載のラジアルタイヤ。
【請求項４】
前記第１のクッション層は、前記ベルト構造の最大全軸方向幅の０．５倍から０．９倍の軸方向幅を有することを特徴とする、請求項１に記載のラジアルタイヤ。
【請求項５】
前記第２のクッション層は、前記指定された直径の１．５倍から５．０倍の半径方向の厚さを有することを特徴とする、請求項１に記載のラジアルタイヤ。
【請求項６】
前記第２のクッション層は、前記指定された直径の１．５倍から３．５倍の半径方向の厚さを有することを特徴とする、請求項１に記載のラジアルタイヤ。
【請求項７】
前記主ベルト層の半径方向に最も外側の層の前記補強コードは、複数の有機繊維、複数の併合されたコードを有することを特徴とする、請求項１に記載のラジアルタイヤ。
【請求項８】
前記保護ベルト層は、有機繊維コードを有することを特徴とする、請求項１に記載のラジアルタイヤ。
【請求項９】
前記カーカス層は、有機繊維コードを有することを特徴とする、請求項１に記載のラジアルタイヤ。
【請求項１０】
前記主ベルト層は第１の軸方向幅を有し、前記保護ベルト層は第２の軸方向幅を有し、前記第１の軸方向幅に対する第２の軸方向幅の比率は、０．２５から１．２０であることを特徴とする、請求項１に記載のラジアルタイヤ。
【請求項１１】
円周方向に延びる複数のトレッド溝と、
前記複数のトレッド溝のうちの２つによって画定され、円周方向に延びる１つの中心リブであって、前記中心リブの半径方向の外側の表面が第１の曲率半径を有する中心リブと、
前記トレッド溝によって画定され、円周方向に延びる２つの中間リブであって、前記中間リブの半径方向の外側の表面が第２の曲率半径を有する２つの中間リブと、
前記トレッド溝によって画定され、円周方向に延びる２つの肩リブであって、各肩リブの半径方向の外側の表面が、第３の曲率半径と前記第３の曲率半径と異なる第４の曲率半径とを有し、各第３の曲率半径は前記トレッド溝の１つに隣接して配置され、各第４の曲率半径は前記トレッドの軸方向外縁に隣接して配置された２つの肩リブと、を有し、前記第２の曲率半径は、何れも前記第１の曲率半径よりも大きいことを特徴とする、ラジアルタイヤのトレッド。
【請求項１２】
前記第１の曲率半径は、前記第３の曲率半径の各々よりも大きいことを特徴とする、請求項１１に記載のトレッド。
【請求項１３】
前記第１の曲率半径は、前記第４の曲率半径の各々よりも大きいことを特徴とする、請求項１１に記載のトレッド。
【請求項１４】
前記第３の曲率半径は、前記第４の曲率半径の各々よりも大きいことを特徴とする、請求項１１に記載のトレッド。
【請求項１５】
前記第２の曲率半径は、前記第４の曲率半径の各々よりも大きいことを特徴とする請求項１１に記載のトレッド。
【請求項１６】
一対のビードコアと、
一方の前記ビードコアから他方の前記ビードコアにトロイダル形状で延びる１つ以上のカーカスプライを有するカーカス層と、
前記カーカス層のトロイダル形状の周面を周方向に取り囲むトレッド部と、
半径方向に最も内側の主ベルト層と、前記主ベルト層の半径方向外側に配置された無補強の第１のクッション層と、前記第１のクッション層の半径方向外側に配置された無補強の第２のクッション層と、前記第２のクッション層の半径方向外側と前記トレッド部の半径方向内側との間に配置された保護ベルト層とを有するベルト構造を有し、
前記トレッド部は、円周方向に延びる複数のトレッド溝と、前記トレッド溝のうちの２つによって画定され、円周方向に延びる１つの中心リブであって、前記中心リブの半径方向外側の表面が第１の曲率半径を有する中心リブと、前記トレッド溝によって画定され、円周方向に延びる２つの中間リブであって、各中間リブの半径方向の外側の表面が第２の曲率半径を有する２つの中間リブと、前記トレッド溝によって画定され、円周方向に延びる２つの肩リブと、を備え、前記第２の曲率半径は、何れも前記第１の曲率半径よりも大きいことを特徴とする、ラジアルタイヤ。
【請求項１７】
前記主ベルト層は第１の軸方向幅を有し、前記保護ベルト層は第２の軸方向幅を有し、前記第１の軸方向幅に対する前記第２の軸方向幅の比率は、０．５０から０．９０であることを特徴とする、請求項１６に記載のラジアルタイヤ。
【請求項１８】
前記主ベルト層の有機繊維コードはアラミドを含み、前記保護ベルト層の有機繊維コードはナイロンを含むことを特徴とする、請求項１６に記載のラジアルタイヤ。
【請求項１９】
前記ベルト構造の最大軸方向幅に対する前記第１クッション層の軸方向幅の比率は、０．５から１．１であることを特徴とする、請求項１６に記載のラジアルタイヤ。
【発明の詳細な説明】
【技術分野】
【０００１】
本発明はラジアルタイヤおよびラジアルタイヤの製造方法に関し、より詳細には、航空機に適したラジアルタイヤであって、異物等による航空機タイヤの切断を軽減することができ、ラジアルタイヤの重量を軽減することができるラジアルタイヤおよびラジアルタイヤの製造方法に関する。
【背景技術】
【０００２】
従来のラジアルタイヤ、特に航空機用ラジアルタイヤは高い内圧と高速回転により生じる遠心力とにより、その半径方向にトレッド面が大きく膨張することがある。トレッド面が半径方向外側に膨張すると、トレッドゴムがタイヤの円周方向に伸びることがある。従来のタイヤが空気入りタイヤでない場合、大きな膨張は高速回転だけで引き起こされることがある。
【０００３】
一般に、従来の航空機用ラジアルタイヤは、高内圧、高負荷、高速の条件下で使用されることがある。したがって、タイヤが異物の上に乗っているとき、タイヤ全体が異物の上に乗っていると、航空機のラジアルタイヤが損傷する可能性があり、これは、いわゆる「エンベロープ特性」と呼ばれる。タイヤのトレッドゴムが周方向に伸ばされると、異物に対する抵抗力が弱くなる場合がある。さらに、このような踏みつけられた異物がトレッドに容易に侵入し、それによってタイヤを損傷することがある。
【０００４】
タイヤの幅方向の中央部の膨張量が、タイヤの幅方向の両端部よりも大きくなると、タイヤの直径差が発生することがある。この直径差は、回転タイヤにドラッグ現象を引き起こす可能性がある。その結果、トレッドの肩部分はトレッドの中央部分よりも早く摩耗することがあり、それによって、トレッドおよびタイヤの寿命が短くなる。この現象は、偏摩耗と呼ばれる。
【発明の概要】
【発明が解決しようとする課題】
【０００５】
膨張変形を抑制することによりトレッドの摩耗特性を改善し、トレッドの摩耗特性を強化し、トレッドのエンベロープ特性を強化するために、従来のラジアルタイヤは、トレッドゴム層とカーカス層のクラウン領域との間に配置されたベルト層を含んでいることがある。ベルト層は、広いベルトプライを有する従来の主ベルト層と、主ベルト層の半径方向外周に追加されたより狭いベルトプライを有するより狭い補助ベルト層とを含んでもよい。このように、この構造は、主ベルト層の中央部に配置された補助ベルト層とによってベルトの剛性を高めることができる。さらに、この構造は、トレッド中央領域の膨張変形を抑えることができる。膨張を減らすための１つの従来の構成は、芳香族ポリアミド（例えば、ケブラーTM）で作られた比較的高弾性のコードを使用する。航空機用タイヤに従来使用されている脂肪族ポリアミド（例えば、ナイロン）と比較して、芳香族ポリアミドコードは伸びの割合が低い領域で高い張力を示し、タイヤの内圧を維持することができ、それによってタイヤの膨張を効果的に抑制することができる。
【０００６】
従来、補強層は、有機繊維からなるベルトの最外層に設けられたガラス、金属、アラミド等で補強されたコードを含んでいる。さらに、より高い張力を有するベルトプライを追加してもよい。このような層は、ベルト層の総厚が最も厚くなるトレッド中央領域において、ゴム厚（コードの厚さを含まないゴムのみの厚さ）を必ず使用する。これにより、トレッドの両側側方領域のゴム厚が過度に厚くなり、したがって、タイヤ重量が増大し、トレッドの両側側方領域の加熱が増大し、トレッドの高速耐久性が低下する可能性がある。
【０００７】
上記を考慮して、本発明は、回転中にトレッド面の径が大きくなることを防止し、異物等により発生する切断に対する耐久性を高め、タイヤの重量を低減する航空機に適したラジアルタイヤを提供することを目的とする。
【０００８】
（定義）
「エイペックス」とは、ビードコアの半径方向上方でプライと折り返しプライとの間に配置されたエラストマー充填材を意味する。
【０００９】
「環状」とは、リングのように形成されていることを意味する。
【００１０】
「アスペクト比」とは、タイヤの断面幅に対するタイヤ断面高さの比を意味する。
【００１１】
「ビード断面のアスペクト比」とは、ビードの断面幅に対するビードの高さの比を意味する。
【００１２】
「非対称トレッド」とは、タイヤの中心面または赤道面ＥＰに関し対称でないトレッドパターンを有するトレッドを意味する。
【００１３】
「軸線方向の」および「軸線方向に」は、タイヤの回転軸に平行な線または方向を示す。
【００１４】
「ビード」とは、環状の引張り部材を含むタイヤの一部分を意味し、プライコードによって巻かれ、設計リムに適合するように形成されており、この際、フリッパー、チッパー、エイペックス、トゥーガードおよびチェーファーのような、その他の補強用要素を用いてもよいし、またはそれらを用いなくてもよい。
【００１５】
「ベルト構造」とはトレッドの下層にあり、ビードに固定されていない、織られまたは織られていない平行なコードからなる少なくとも２つの環状の層またはプライを意味し、タイヤの赤道面に対して傾斜したコードを有する。ベルト構造はまた、制限層として機能する、比較的低い角度で傾斜した平行なコードのプライを含んでもよい。
【００１６】
「バイアスタイヤ」（クロスプライ）とは、カーカスプライ内の補強コードがビードからビードへタイヤを斜めに横切ってタイヤの赤道面に対して約２５度から６５度に延びるタイヤを意味する。複数のプライが存在する場合、プライコードは、互いに隣接する層において互いに逆向きの角度に延びる。
【００１７】
「ブレーカー」とは、平行な補強コードからなる少なくとも２つの環状層またはプライを意味し、補強コードはタイヤの赤道面に関して、カーカスプライの平行な補強コードと同じ角度を有する。ブレーカーは、通常、バイアスタイヤと組み合わされる。
【００１８】
「ケーブル」とは、２本以上のプライ糸を一緒に撚ることによって形成されたコードを意味する。
【００１９】
「カーカス」とはプライ上のベルト構造、トレッド、アンダートレッド、およびサイドウォールラバーとは別のタイヤ構造を意味し、ビードを含む。
【００２０】
「ケーシング」とは、トレッドおよびアンダートレッドを除くカーカス、ベルト構造、ビード、サイドウォール、およびタイヤの他のすべての構成要素、すなわちタイヤ全体を意味する。
【００２１】
「チッパー」は、ビード領域を補強し、サイドウォールの半径方向最内部分を安定させる機能を有し、ビード領域内に位置する織物コードまたはスチールコードからなる狭いバンドを示す。
【００２２】
「周方向の」および「周方向に」とは、赤道面（ＥＰ）に平行で軸線方向に垂直な環状のタイヤの表面の周縁部に沿って延びるラインまたは方向を意味し、互いに隣接する円形曲線の複数の組であって、断面視において、それらの円形曲線の半径がトレッドの軸線方向の湾曲を画定する複数の円形曲線の組の方向を示すこともある。
【００２３】
「コード」とは、タイヤの補強構造を構成する補強ストランドの１つを意味する。
【００２４】
「コード角度」とはコードによって形成される、赤道面に対する鋭角を意味し、タイヤの平面図において左右の鋭角を意味する。「コード角度」は、硬化したが膨張していないタイヤにおいて測定される。
【００２５】
「クラウン」とは、タイヤトレッドの幅方向の境界内におけるタイヤの部分を意味する。
【００２６】
「デニール」とは、９０００メートル当たりのグラム重量（線密度を表す単位）を意味する。「Ｄｔｅｘ」は、１万メートル当たりのグラム重量を意味する。
【００２７】
「密度」とは、単位長さ当たりの重量を意味する。
【００２８】
「エラストマー」とは、変形後にその大きさと形状を回復する能力を備えた弾性材料を意味する。
【００２９】
「赤道面（ＥＰ）」とは、タイヤの回転軸に垂直で、タイヤのトレッドの中心を通る面、またはトレッドの周方向中心線を含む面を意味する。
【００３０】
「織物」は、本質的に一方向に延びる複数のコードの網構造を意味し、複数のコードは撚られていてもよく、あるいは、高弾性率材料からなる多数本のフィラメント（撚られてもよい）を複数束ねて構成される。
【００３１】
「繊維」とは、フィラメントの基本要素を形成する天然または人工の物質の単位である。長さが直径または幅の少なくとも１００倍であることを特徴とする。
【００３２】
「フィラメント数」とは、糸を構成するフィラメントの数を意味する。例：１０００デニールのポリエステルは約１９０のフィラメントを有する。
【００３３】
「フリッパー」とは、強度上およびタイヤ本体内でビードワイヤを結束するためにビードワイヤの周囲に配置された織物を意味する。
【００３４】
「フットプリント」とは、ゼロ速度且つ通常の負荷および気圧下における、タイヤトレッドと平坦な面との接触面または接触領域を意味する。
【００３５】
「ゲージ」とは、一般に、測定値、具体的には厚さの測定値を示す。
【００３６】
「溝」とは、トレッドを周方向、または横方向に、直線状、または曲線状、またはジグザグ状に延びていてよいトレッド内の細長い空隙領域を意味する。周方向および横方向に延びる溝は、時々共通部分を有する。「溝幅」は、溝または溝部分によって占められるトレッド表面を、そのような溝または溝部分の長さで割ったものとすることができ、したがって、溝幅は、その長さ全体の平均幅とすることができる。溝は、タイヤ内で深さが変わっていてもよい。溝の深さは、トレッドの外周の周りで変化してもよく、または１つの溝の深さは一定であってもよいが、タイヤ内の他の溝の深さと異なっていてもよい。このような狭いまたは広い溝が、広い円周溝と比較して実質的に浅い深さであり、当該広い円周溝を相互接続する場合、それらは、それらが含まれるトレッド領域においてリブのような特性を維持する傾向がある「タイバー」を形成するものとみなすことができる。本明細書で使用されるように、溝は、タイヤ接触面またはフットプリント内に開いたままであるのに十分な幅を有することが意図されている。
【００３７】
「高張力鋼（ＨＴ）」とは、フィラメント径０．２０ｍｍにおいて少なくとも３４００ＭＰａの引張り強度を有する炭素鋼を意味する。
【００３８】
「内側」とは、タイヤの内側に向かい、「外側」とは、タイヤの外側に向かうことを意味する。
【００３９】
「インナーライナー」とは、チューブレスタイヤの内部表面を形成し、タイヤ内に膨張流体を封じ込めるエラストマーまたは他の材料の１つの層または複数の層を意味する。
【００４０】
「インボード側」とは、タイヤがホイールに取り付けられ、ホイールが車両に取り付けられたときに、車両に最も近いタイヤの側を意味する。
【００４１】
「ＬＡＳＥ」とは、指定された伸長における負荷である。
【００４２】
「横方向」とは、軸方向を意味する。
【００４３】
「設置長さ」とは、撚られたフィラメントまたはストランドが延在して、他のフィラメントまたはストランドの周りを３６０度回転する距離を意味する。
【００４４】
「負荷範囲」とは、Ｔｈｅ Ｔｉｒｅ ａｎｄ Ｒｉｍ Ａｓｓｏｃｉａｔｉｏｎ, Ｉｎｃ.の表に定義されている特定の種類のサービスで使用される所定のタイヤの負荷量および膨張限界を意味する。
【００４５】
「メガ張力鋼（ＭＴ）」とは、０．２０ｍｍにおけるフィラメント直径で少なくとも４５００ＭＰａの引張強度を有する炭素鋼を意味する。
【００４６】
「正味接触面積」とは、定義された境界エッジ間の地面に接触する要素の総面積を、トレッドの全周にわたって測定された境界エッジ間の総面積で割ったものを意味する。
【００４７】
「ネット対グロス比」とは、トレッドの全周の周りのトレッドの側縁間の地面に接触するトレッド要素の総面積を、側縁間のトレッドの全周の総面積で割ったものを意味する。
【００４８】
「非方向性トレッド」とは、好ましい前進方向を持たず、トレッドパターンを好ましい移動方向と一致させるために車両の特定のホイール位置に配置する必要がないトレッドを意味する。逆に、方向性トレッドパターンは、特定のホイール位置を必要とする好ましい移動方向を有する。
【００４９】
「通常負荷」とは、タイヤの使用条件に対して、適切な標準化機構によって割り当てられた特定の設計膨張圧力および負荷を意味する。
【００５０】
「普通張力鋼（ＮＴ）」とは、０．２０ｍｍフィラメント直径において少なくとも２８００ＭＰａの引張り強度を有する炭素鋼を意味する。
【００５１】
「アウトボード側」とは、タイヤがホイールに取り付けられ、ホイールが車両に取り付けられたときに、車両から最も離れたタイヤの側を意味する。
【００５２】
「プライ」とは、ゴムで被覆された複数のコードからなるコード補強層を意味し、複数のコードは半径方向に展開され、または平行に延びている。
【００５３】
「半径方向の」および「半径方向に」は、径方向にタイヤの回転軸に向かい、または離れる方向を意味する。
【００５４】
「ラジアルプライ構造」とは、少なくとも１つのプライがタイヤの赤道面に対して６５度から９０度の角度で配向した補強コードを有する１つ以上のカーカスプライを意味する。
【００５５】
「ラジアルプライタイヤ」とは、少なくとも１つのプライが、ビードからビードへ延びタイヤの赤道面に対して６５度から９０度のコード角に配置されるコードを有する、ベルト構造の、または周方向に拘束された空気入りタイヤを意味する。
【００５６】
「リブ」とは、少なくとも１つの周方向溝と、第２のそのような溝または側縁のいずれかと、によって画定される、トレッド上の周方向に延びるゴムのストリップを意味し、ストリップは、最も深い溝によって横方向に分割されない。
【００５７】
「リベット」とは、層中のコード間の開放空間を意味する。
【００５８】
「断面高さ」とは、赤道面での公称リム直径からタイヤの外径までの半径方向距離を意味する。
【００５９】
「断面幅」とは、通常圧力且つ無負荷時で２４時間膨張させたとき、およびそれ以降の、サイドウォールの外側間の、タイヤ軸に平行な最大直線距離を意味し、ラベル、装飾または保護バンドによるサイドウォールの高さを除く。
【００６０】
「自立型ランフラット」とは、タイヤが限られた時間および限られた速度で、非膨張状態で操作されたときに、タイヤ構造のみで車両の負荷を支持するのに十分に強い構造を有するタイプのタイヤを意味する。タイヤ構造しかないため（例えば、内部構造がないため）、タイヤのサイドウォールおよび内面は潰れたり、座屈したりすることがない。
【００６１】
「サイドウォールインサート」とは、タイヤのサイドウォール領域に配置されたエラストマーまたはコード補強材を意味する。インサートは、カーカス補強プライおよびタイヤの外面を形成する外側のサイドウォールゴムへの追加であってもよい。
【００６２】
「サイドウォール」とは、トレッドとビードとの間のタイヤの部分を意味する。
【００６３】
「サイプ」または「切り込み」とは、トレッド表面を細分化し、牽引力を改善する、タイヤのトレッド要素に成形された小さなスロットを意味し、サイプは溝とは異なり、接触面またはフットプリント内で閉じるように設計されてもよい。
【００６４】
「ばね率」とは、所与の圧力での負荷たわみ曲線の勾配として表されるタイヤの剛性を意味する。
【００６５】
「剛性比」とは、コードの両端が支持され、固定端の間の中心に掛けられた負荷で曲げられる固定三点曲げ試験によって値が決定された場合の、対照制御ベルト構造の剛性値を別のベルト構造の剛性値で割った値を意味する。
【００６６】
「超高張力鋼（ＳＴ）」とは、０．２０ｍｍ繊維径において少なくとも３６５０ＭＰａの引張強度を有する炭素鋼を意味する。
【００６７】
「靭性」とは、歪みのない試験片の単位線密度当たりの力（ｇｍ／ｔｅｘまたはｇｍ／デニール）として表される応力である。織物で使用される。
【００６８】
「引張り」とは、力／断面積で表される応力である。強度（ｐｓｉ）＝１２，８００×比重×デニールあたりのグラムにおける靭性。
【００６９】
「トゥーガード」とは、各ビードの軸方向内側のタイヤの円周方向に展開されたエラストマーのリム接触部分を示す。
【００７０】
「トレッド」とは、タイヤケーシングに結合されたときに、タイヤの通常負荷通常膨張時に道路と接触するタイヤの部分を含む成型されたゴム部品を意味する。
【００７１】
「トレッド要素」または「牽引要素」とは、リブまたはブロック要素を意味する。
【００７２】
「トレッド幅」は、タイヤの回転軸を含む平面におけるトレッド表面の弧の長さを意味する。
【００７３】
「折り返し端」とは、プライが巻き付けられているビードから上方に（すなわち、半径方向外側に）曲がるカーカスプライの部分を意味する。
【００７４】
「超超張力鋼（ＵＴ）」とは、０．２０ｍｍフィラメント直径において少なくとも４０００ＭＰａの引張り強度を有する炭素鋼を意味する。
【００７５】
「垂直たわみ」とは、タイヤが負荷の下でたわむ量を意味する。
【００７６】
「糸」は、織物繊維またはフィラメントの連続ストランドの総称であり、以下の形態で発生する。：（１）一緒に撚り合わされた多数の繊維；（２）撚りをかけずに一緒に配置された多数の繊維；（３）ある程度の撚りを加えて一緒に配置された多数の繊維；（４）撚りの有無にかかわらず単一の繊維（モノフィラメント）；および（５）撚りの有無にかかわらない材料の狭いストリップ。
【課題を解決するための手段】
【００７７】
本発明による第１のラジアルタイヤは、一対のビードコアと、一方のビードコアから他方のビードコアに延びる１つ以上のカーカスプライを有するカーカス層と、カーカス層のトロイダル形状の周囲を周方向に取り囲むトレッド部と、ベルト構造とを含む。ベルト構造は、半径方向に最も内側の主ベルト層と、主ベルト層の半径方向外側に配置された無補強の第１のクッション層と、第１のクッション層の半径方向外側に配置された無補強の第２のクッション層と、第２のクッション層の半径方向外側とトレッド部の半径方向内側との間に配置された保護ベルト層とを含む。主ベルト層の半径方向に最も外側の層は、指定された直径の補強コードを有する。第１のクッション層は、指定された直径の０．５倍から４．０倍の半径方向の厚さを有する。
【００７８】
第１のラジアルタイヤの別の態様によれば、第１のクッション層は、指定された直径の０．５倍から２．５倍の半径方向の厚さを有する。
【００７９】
第１のラジアルタイヤのさらに別の態様によれば、第１のクッション層は、ベルト構造の最大全軸方向幅の０．５倍から１．１倍の軸方向幅を有する。
【００８０】
第１のラジアルタイヤのさらに別の態様によれば、第１のクッション層は、ベルト構造の最大全軸方向幅の０．５倍から０．９倍の軸方向幅を有する。
【００８１】
第１のラジアルタイヤのさらに別の態様によれば、第２のクッション層は、指定された直径の１．５倍から５．０倍の半径方向の厚さを有する。
【００８２】
第１のラジアルタイヤのさらに別の態様によれば、第２のクッション層は、指定された直径の１．５倍から３．５倍の半径方向の厚さを有する。
【００８３】
第１のラジアルタイヤのさらに別の態様によれば、主ベルト層の半径方向に最も外側の層の補強コードは、複数の有機繊維、複数の併合されたコードを有する。
【００８４】
第１のラジアルタイヤのさらに別の態様によれば、保護ベルト層は、有機繊維コードを有する。
【００８５】
第１のラジアルタイヤのさらに別の態様によれば、カーカス層は、有機繊維コードを有する。
【００８６】
第１のラジアルタイヤのさらに別の態様によれば、主ベルト層は第１の軸方向幅を有し、保護ベルト層は第２の軸方向幅を有し、第１の軸方向幅に対する第２の軸方向幅の比率は０．２５から１．２０の間、または０．７５から０．９５の間である。
【００８７】
本発明によるラジアルタイヤ用のトレッドは、円周方向に延びる複数のトレッド溝と、複数のトレッド溝のうちの２つによって画定され、円周方向に延びる１つの中心リブであって、中心リブの半径方向の外側の表面が第１の曲率半径を有する中心リブと、トレッド溝によって画定され、円周方向に延びる２つの中間リブであって、各中間リブの半径方向の外側の表面が第２の曲率半径を有する２つの中間リブと、トレッド溝によって画定され、円周方向に延びる２つの肩リブであって、各肩リブの半径方向の外側の表面が、第３の曲率半径と第３の曲率半径と異なる第４の曲率半径とを有し、各第３の曲率半径はトレッド溝の１つに隣接して配置され、各第４の曲率半径はトレッドの軸方向外縁に隣接して配置された２つの肩リブと、を有し、第２の曲率半径は、何れも第１の曲率半径よりも大きい。
【００８８】
トレッドの別の態様によれば、第１の曲率半径は、第３の曲率半径の各々よりも大きい。
【００８９】
トレッドのさらに別の態様によれば、第１の曲率半径は、第４の曲率半径の各々よりも大きい。
【００９０】
トレッドのさらに別の態様によれば、第３の曲率半径は、第４の曲率半径の各々よりも大きい。
【００９１】
トレッドのさらに別の態様によれば、第２の半径は、第４の半径の各々よりも大きい。
【００９２】
本発明による第２のラジアルタイヤは、一対のビードコアと、一方のビードコアから他方のビードコアにトロイダル形状で延びる１つ以上のカーカスプライを有するカーカス層と、カーカス層のトロイダル形状の周囲を周方向に取り囲むトレッド部と、ベルト構造とを含む。ベルト構造は、半径方向に最も内側の主ベルト層と、主ベルト層の半径方向外側に配置された無補強の第１のクッション層と、第１のクッション層の半径方向外側に配置された無補強の第２のクッション層と、第２のクッション層の半径方向外側とトレッド部の半径方向内側との間に配置された保護ベルト層とを含む。トレッド部は、円周方向に延びる複数のトレッド溝と、トレッド溝のうちの２つによって画定され、円周方向に延びる１つの中心リブであって、中心リブの半径方向の外側の表面が第１の曲率半径を有する中心リブと、トレッド溝によって画定され、円周方向に延びる２つの中心リブであって、各中間リブの半径方向の外側の表面が第２の曲率半径を有する２つの肩リブと、を備え、第２の曲率半径は、何れも第１の曲率半径よりも大きい。
【００９３】
第２のラジアルタイヤの別の態様によれば、主ベルト層は第１の軸方向幅を有し、保護ベルト層は第２の軸方向幅を有し、第１の軸方向幅に対する第２の軸方向幅の比率は、０．５からと０．９０の間、または０．７０から０．９０の間である。
【００９４】
第２のラジアルタイヤのさらに別の態様によれば、主ベルト層の有機繊維コードはアラミドを含み、保護ベルト層の有機繊維コードはナイロンを含む。
【００９５】
第２のラジアルタイヤのさらに別の態様によれば、ベルト構造の最大軸方向幅に対する第１のクッション層の軸方向幅の比率は、０．５から１．１である。
【００９６】
本発明は、例として、添付の図面を参照して説明される
【図面の簡単な説明】
【００９７】
【図１】本発明に係るラジアルタイヤの一例の概略断面図である。
【図２】図１のラジアルタイヤの一部の概略詳細図である。
【図３】図１のラジアルタイヤの他の一部の概略詳細図である。
【発明を実施するための形態】
【００９８】
以下、図１−図３を参照して、本発明を実施するための一例を説明する。例示的な航空機ラジアルタイヤ１０は、各々が円形断面を有する２つのビードコア１４を有するビード部１２を有していてもよい。カーカス層１６は、ゴム被覆有機繊維コードが半径方向に配列されてビードコア１４によって保持されるサイドウォール１９を形成する６つ以上の例示的なカーカスプライ（図示せず）を含むことができる。フリッパー、チェーファー、チッパーなどの他の構造物は従来の構造に類似していてもよく、図１には示されていないことに留意されたい。
【００９９】
カーカス層１６は、例えば、６．３ｃＮ／ｄｔｅｘ以上の引張破壊強度、負荷が伸長方向に０．２ｃＮ／ｄｔｅｘである場合に０．２から１．８パーセントの伸び率、負荷が伸長方向に１．０ｃＮ／ｄｔｅｘである場合に１．４から６．４パーセントの伸び率、および負荷が伸長方向に２．９ｃＮ／ｄｔｅｘである場合に２．１から８．６パーセントの伸び率を有する有機繊維コードを利用してもよい。カーカス層１６の有機繊維コードは、０．１２から０．８５または０．１７から０．５１の内層係数、０．４から０．８５の外層係数の芳香族ポリアミド繊維であってもよい。
【０１００】
カーカス層１６は、別の例として、６．３ｃＮ／ｄｔｅｘ以上の引張破壊強度、負荷が伸長方向に０．３ｃＮ／ｄｔｅｘである場合に０．２から２．０パーセントの伸び率、負荷が伸長方向に２．１ｃＮ／ｄｔｅｘである場合に１．５から７．０パーセントの伸び率、および負荷が伸長方向に３．２ｃＮ／ｄｔｅｘである場合に２．２から９．３パーセントの伸び率を有する有機繊維コードを利用してもよい。カーカス層１６の有機繊維コードは、０．１２から０．８５、または０．１７から０．５１の内層係数、０．４から０．８５の外層係数の芳香族ポリアミド繊維であってもよい。
【０１０１】
カーカス層１６の有機繊維コードは、芳香族ポリアミド繊維および脂肪族ポリアミド繊維を含む、併合された、またはハイブリッドコードであってもよい。芳香族ポリアミド繊維と脂肪族ポリアミド繊維との重量比は、１００：２７から１００：２５５とすることができる。加えて、ナイロンは、併合されたコードの一部または全部に使用されてもよい。
【０１０２】
カーカス層１６の半径方向外側に位置するベルト構造２０は、ベルト構造の半径方向内側に配置された主ベルト層２６と、ベルト構造の半径方向外側に設けられた保護ベルト層２８とを含んでもよい。ベルト構造は、最大全軸幅ＢＷを有していてよい。主ベルト層２６はより大きな第１軸幅ＢＷを有してもよく、保護ベルト層２８はより小さな第２軸幅ＣＰＷを有してもよい。第２軸幅と第１軸幅との比は、０．２５から１．２０の間、または０．７５から０．９５の間であってもよい。
【０１０３】
主ベルト層２６は、２枚から１６枚、または８枚の複数のベルトプライで形成することができる。ベルトプライの幅は互いに同じであってもよいし、様々な幅であってもよい。有機繊維コードの傾斜角度、またはコード角度は、赤道面に関して１度から４５度、または１０度から４５度であってもよい。複数の有機繊維コードの密度は、４．０コード／１０ｍｍから１０．０コード／１０ｍｍ、または７．０コード／１０ｍｍであってもよい。
【０１０４】
ベルト構造２０の主ベルト層２６の有機繊維コードは、芳香族ポリアミド繊維および脂肪族ポリアミド繊維を含む、併合された、またはハイブリッドコードであってもよい。芳香族ポリアミド繊維と脂肪族ポリアミド繊維との重量比は、１００：２７から１００：２５５とすることができる。さらに、ナイロンは、例示的な併合コードの一部または全部に使用されてもよい。
【０１０５】
ベルト構造２０の保護ベルト層２８は、ベルト構造２０の軸幅ＢＷよりも小さい、または０．２５ＢＷから１．２ＢＷ、または０．５ＢＷから０．８ＢＷの軸幅ＣＰＷを有することができる。保護ベルト層２８は、１つ以上のベルトプライから形成されてもよい。さらに、1つ若しくは複数のベルトプライ２６または保護ベルト層２８の１つ若しくは複数のプライは、薄い物体が一回または３６０度巻かれるときに常に、薄い物体がプライの軸両端の間で往復し、薄い物体が赤道面に対して０から２５度の角度で傾斜することができるように、バンド状の薄い物体を形成するためにゴムでコーティングされた１つまたは複数の有機繊維コードで形成されてもよく、この巻き付けは、参照によりその全体が本明細書に組み込まれる米国特許出願公開第２０１７／０２５３０８５号に開示されるように、薄い物体間に隙間が生成されないように薄い物体を周方向にそれらの幅と実質的に同じ距離だけオフセットしながら何度も実行されてもよい（これは、エンドレスジグザグ巻きベルトと呼ばれる）。その結果、実質的に周方向にジグザグ状に延びる有機繊維コードを、軸方向両側のプライ端で曲げ方向を変えることによって、ベルトプライまたは複数のベルトプライの全領域に略均一に埋め込むことができる。主ベルト層２６の有機繊維コードの角度は、保護層２８の有機繊維コードの角度よりも小さくてもよい。
【０１０６】
保護ベルト層２８において、有機繊維コードは、主ベルト層２６に含まれる有機繊維コードの弾性率以下の弾性率を有していてもよい。保護ベルト層２８の有機繊維コードの例として、ナイロンなどの脂肪族ポリアミド繊維、またはアラミドなどの芳香族ポリアミド繊維と併合されたコード、そして、ナイロンなどの脂肪族ポリアミド繊維を含むことができる。保護ベルト層２８は、有機繊維コードの傾斜角が赤道面に対して０から２５度の範囲、または１０度の角度を有するエンドレスジグザグ巻きベルトを含むことができる。
【０１０７】
図２から図３に示すように、本発明の１つの特徴によれば、半径方向に最も外側のベルトプライ２６のコード２６１は、均一な直径Ｃｄを有することができる。半径方向において主ベルト層２６のコードと、第２の無補強ゴム層３２、すなわち第２のクッション層と、の間に位置する第１の無補強（例えば、コード補強材が欠けているなど）ゴム層３０ないし第１のクッション層の最小厚みｔ1は、０．５Ｃｄから４．０Ｃｄまたは１．０Ｃｄから２．５Ｃｄの範囲であってもよい。第１の無補強ゴム層３０は、０．５ＢＷから１．１ＢＷ、または０.５ＢＷから０．９ＢＷの軸方向幅ＣＷを有していてもよい。第１の無補強ゴム層３０の軸方向外縁の半径方向の厚さは、半径方向内側に向かって先細りとすることができる（図２）。第１の無補強層３０はまた、上記範囲内の全体的な厚さを有する複数の層を含んでもよい。トレッド貼り替え中のトレッドバフ研磨は、第２の無補強ゴム層３２で起こり得る。
【０１０８】
第１の無補強ゴム層３０と保護層２８との間の第２の無補強ゴム層３２の最小厚みｔ2は、１．５Ｃｄから５．０Ｃｄ、または１．５Ｃｄから３．５Ｃｄの範囲とすることができる。第２の無補強ゴム層３２はまた、上記範囲内の全体的な厚さを有する複数の層を含んでもよい。第２の無補強ゴム層３２の厚さｔ2が小さすぎると、タイヤ１０のトレッドを貼り替える際に、半径方向内側の主ベルト層２６に損傷を与えずにゴム層３２を除去することが困難になり得る。逆に、ゴム層３０、３２の厚さが大きすぎると、タイヤ１０の重量が増加するだけでなく、トレッド層１８の発熱も増加するので、どちらもタイヤの性能にとって不利である。第２のゴム層３２の厚さｔ2は、トレッドを貼り替え中に保護層２８の除去を可能にすることができる。
【０１０９】
本発明の別の特徴によれば、図１に示すように、トレッド層１８は、円周方向に延びる２つの肩リブ１８２、１８６、円周方向に延びる２つの中間リブ１８３、１８５、および円周方向に延びる１つの中心リブ１８４を分離する円周方向に延びるトレッド溝１８１を含んでもよい。中央リブ１８４の半径方向に最も外側の表面は、曲率半径ＴＲ1を有することができる。中間リブ１８３、１８５の半径方向に最も外側の表面は、曲率半径ＴＲ2を有することができる。溝１８１に隣接する肩リブ１８２、１８６の半径方向に最も外側の表面は、曲率半径ＴＲ3を有することができる。サイドウォール１９の軸方向外側部分に隣接する肩リブ１８２、１８６の半径方向に最も外側の表面は、曲率半径ＴＲ4を有することができる。ＴＲ2はＴＲ1よりも大きくてもよい。さらに、ＴＲ2はＴＲ1よりも大きくてよく、ＴＲ1はＴＲ3よりも大きくてよく、ＴＲ3はＴＲ4よりも大きくてよい。
【０１１０】
以上、本発明に係るタイヤ１０について詳細に説明した。しかし、本発明は上記の例に限定されるものではなく、実施例の様々な変形が可能である。上記の教示に照らして、本発明の多くの修正および変形が可能である。したがって、添付の特許請求の範囲内で、本発明は、本明細書に具体的かつ例示的に記載されている以外の方法で実施されてもよいことを理解されたい。
【０１１１】
さらに、本明細書で提供される本発明の説明に照らして、本発明の変形形態が可能である。特定の代表的な実施形態および詳細を、本発明を例示する目的で示したが、本発明の範囲から逸脱することなく、様々な変更および修正を行うことができることは当業者には明らかであろう。したがって、以下の添付の特許請求の範囲によって定義される本発明の完全に意図された範囲内にある、記載された特定の実施例において変更がなされ得ることが理解されるべきである。
【図１】
2020200032.tif 000003
【図２】
2020200032.tif 000004
【図３】
2020200032.tif 000005
【外国語明細書】
2020200032000001.pdf